(57)【要約】【課題】  広告に同期したコンテンツが、携帯端末に入手できる。【解決手段】  広告管理サーバ６０は、広告映像とコンテンツをコンテンツサーバ４０から配信され、前記広告映像とコンテンツを時間的に同期をとって広告映像を広告表示装置８０に、コンテンツをコンテンツ配信モジュール７０に配信する。広告表示装置８０は、前記広告映像をネットワークを介して受信し自表示装置に表示する。コンテンツ配信モジュール７０は、コンテンツを前記ネットワークを介して受信し、微弱電波または赤外線によって携帯端末１０に配信する。携帯端末１０は、コンテンツを自分のファイルに保存し、また、コンテンツに含まれるＵＲＬにアクセスする。【選択図】      図１
2005084076.tif 000002
【特許請求の範囲】
【請求項１】
広告映像と前記広告映像に時間的に同期したコンテンツを配信する管理サーバと、前記広告映像をネットワークを介して受信し自表示装置に表示する広告表示装置と、前記コンテンツを前記ネットワークを介して受信し携帯端末に配信するコンテンツ配信装置とを含んで構成されることを特徴とする携帯端末を利用した広告配信システム。
【請求項２】
前記コンテンツの前記携帯端末への配信は、微弱電波または赤外線によって行われることを特徴とする請求項１記載の携帯端末を利用した広告配信システム。
【請求項３】
前記コンテンツには少なくともインターネットに接続するためのＵＲＬが含まれていることを特徴とする請求項１記載の携帯端末を利用した広告配信システム。
【請求項４】
配信される前記コンテンツは前記広告映像の内容の切り替わる時点に同期した同期情報を有しており、前記携帯端末は同期情報検出手段により前記コンテンツの前記同期情報を検出すると別の前記コンテンツが始まる旨のメッセージ出力を行うことを特徴とする請求項１記載の携帯端末を利用した広告配信システム。
【請求項５】
前記内容とは、広告対象の商品種別であることを特徴とする請求項４記載の携帯端末を利用した広告配信システム。
【請求項６】
前記携帯端末は、前記コンテンツを自分のディスプレイに表示するだけでなく、要求に応じて、自分のファイルに保存できることを特徴とする請求項１記載の携帯端末を利用した広告配信システム。
【請求項７】
管理サーバと広告表示装置とコンテンツ配信装置とがネットワークを介して接続され、前記管理サーバが広告映像と前記広告映像に時間的に同期したコンテンツを配信すると、前記広告表示装置は前記広告映像を前記ネットワークを介して受信し自表示装置に表示し、前記コンテンツ配信装置は前記コンテンツを前記ネットワークを介して受信し携帯端末に配信することを特徴とする携帯端末を利用した広告配信方法。
【請求項８】
前記コンテンツの前記携帯端末への配信は、微弱電波または赤外線によって行われることを特徴とする請求項７記載の携帯端末を利用した広告配信方法。
【請求項９】
前記コンテンツには少なくともインターネットに接続するためのＵＲＬが含まれていることを特徴とする請求項７記載の携帯端末を利用した広告配信方法。
【請求項１０】
配信される前記コンテンツは前記広告映像の内容の切り替わる時点に同期した同期情報を有しており、前記携帯端末は前記コンテンツの前記同期情報を検出すると別の前記コンテンツが始まる旨のメッセージ出力を行うことを特徴とする請求項７記載の携帯端末を利用した広告配信方法。
【請求項１１】
前記内容とは、広告対象の商品種別であることを特徴とする請求項１０記載の携帯端末を利用した広告配信方法。
【請求項１２】
前記携帯端末は、前記コンテンツを自分のディスプレイに表示するだけでなく、要求に応じて、自分のファイルに保存できることを特徴とする請求項７記載の携帯端末を利用した広告配信方法。
【請求項１３】
広告映像と前記広告映像に時間的に同期したコンテンツを配信する第１の機能と、前記広告映像をネットワークを介して受信し自表示装置に表示する第２の機能と、前記コンテンツを前記ネットワークを介して受信し携帯端末に配信する第３の機能とをコンピュータに実行させるためのプログラム。
【請求項１４】
前記第３の機能にあって微弱電波または赤外線によって前記コンテンツを前記携帯端末に配信する機能をコンピュータに実行させるための請求項１３記載のプログラム。
【請求項１５】
前記第１の機能にあって少なくともインターネットに接続するためのＵＲＬが含まれる前記コンテンツを配信する機能をコンピュータに実行させるための請求項１３記載のプログラム。
【請求項１６】
前記第１の機能にあって前記広告映像の内容の切り替わる時点に同期した同期情報を有した前記コンテンツを配信する機能と、前記携帯端末に前記コンテンツの前記同期情報の検出時に別の前記コンテンツが始まる旨のメッセージ出力を行わせる第４の機能とをコンピュータに実行させるための請求項１３記載のプログラム。
【請求項１７】
前記第１の機能にあって前記広告映像の商品種別の切り替わる時点に同期した同期情報を有した前記コンテンツを配信する機能をコンピュータに実行させるための請求項１６記載のプログラム。
【請求項１８】
前記携帯端末に前記コンテンツを前記携帯端末のディスプレイに表示させるだけでなく、要求に応じて、前記携帯端末のファイルに保存させる第５の機能をコンピュータに実行させるための請求項１３記載のプログラム。
【発明の詳細な説明】
【技術分野】
【０００１】
本発明は携帯端末を利用した広告配信方法及び携帯端末を利用した広告配信システム及び携帯端末を利用した広告配信サービスをコンピュータに実行させるためのプログラムに関し、特に、広告表示装置からの映像広告に同期して携帯電話機に微弱電波または微弱赤外線（ＢｌｕｅＴｏｏｔｈ、Ｉｒ  ｅｔｃ．）を利用してコンテンツを配信することを特徴とする携帯端末を利用した広告配信方法及び携帯端末を利用した広告配信システム及び携帯端末を利用した広告配信サービスをコンピュータに実行させるためのプログラムに関する。
【背景技術】
【０００２】
近年、街頭やコンビニエンスストア、電車内等にディスプレイモニタを設置し広告映像を放映する手法が増加の傾向にある。本手法は多種多様な情報を利用者に提供することが可能であり、広告媒体として有効である。
【０００３】
しかし、広告番組は数十秒であり番組終了とともに広告元が変化するため、利用者が目的の情報の詳細入手を意図する場合には、当該広告の放映中にＵＲＬ等を携帯通信端末に入力しなければならず煩雑であった。また、広告元のＵＲＬ等連絡先が記載されていない場合も多く不便であった。
【０００４】
そこで、広告発信源に赤外線などによる通信手段を設置しておき、広告の放映中に通信手段を介して利用者の携帯端末へ広告元のＵＲＬ情報等を配信する手法が考案されている（例えば、特許文献１を参照。）。
【０００５】
この特許文献１に示される情報配信方法は、複数の広告がサイクリックに放映される場合では、利用者が広告発信源の通信手段と携帯端末とで情報のやりとりを行うことにより、複数の広告商品などから、ほしい商品の情報、すなわち、広告元のＵＲＬ情報や広告媒体ＩＤ情報などを入手する方法である。
【０００６】
【特許文献１】特開２００２−９９８２４号公報
【発明の開示】
【発明が解決しようとする課題】
【０００７】
上述した特許文献１に示される情報配信方法では、複数の広告がサイクリックに放映される場合、利用者が広告発信源の通信手段と携帯端末とで情報のやりとりを行うことにより、複数の広告商品などから、ほしい商品の情報、すなわち、広告元のＵＲＬ情報や広告媒体ＩＤ情報などを入手する方法であるので、今見ている広告に同期して情報がすぐにほしいと思った場合でも、広告発信源とやりとりを行わなければならず、利用者の負担が大きいという問題がある。
【０００８】
また、入手できる情報も、サイトにアクセスするための広告元のＵＲＬ情報や広告媒体ＩＤ情報などに限られ、広告商品に関する豊富な紹介情報などを配信する事ができず、利用者に対する宣伝効果および集客効果が十分ではなく、さらに向上させる余地がある。
【０００９】
本発明は、以上の問題点を解決するために、管理サーバが広告表示装置に配信される広告映像に時間的に同期したコンテンツをネットワークを介してコンテンツ配信装置に配信し、コンテンツ配信装置はコンテンツを受信すると、微弱電波または赤外線によって携帯端末に配信し、携帯端末は広告映像に時間的に同期したコンテンツを受信して、表示、保存できるようにした携帯端末を利用した広告配信方法及び携帯端末を利用した広告配信システム及び携帯端末を利用した広告配信サービスをコンピュータに実行させるためのプログラムを提供する。
【課題を解決するための手段】
【００１０】
本願の第１の発明は、広告映像と前記広告映像に時間的に同期したコンテンツを配信する管理サーバと、前記広告映像をネットワークを介して受信し自表示装置に表示する広告表示装置と、前記コンテンツを前記ネットワークを介して受信し携帯端末に配信するコンテンツ配信装置とを含んで構成されることを特徴とする。
【００１１】
本願の第２の発明は、第１の発明の前記コンテンツの前記携帯端末への配信は、微弱電波または赤外線によって行われることを特徴とする。
【００１２】
本願の第３の発明は、第１の発明の前記コンテンツには少なくともインターネットに接続するためのＵＲＬが含まれていることを特徴とする。
【００１３】
本願の第４の発明は、第１の発明の配信される前記コンテンツは前記広告映像の内容の切り替わる時点に同期した同期情報を有しており、前記携帯端末は同期情報検出手段により前記コンテンツの前記同期情報を検出すると別の前記コンテンツが始まる旨のメッセージ出力を行うことを特徴とする。
【００１４】
本願の第５の発明は、第４の発明の前記内容とは、広告対象の商品種別であることを特徴とする。
【００１５】
本願の第６の発明は、第１の発明の前記携帯端末は、前記コンテンツを自分のディスプレイに表示するだけでなく、要求に応じて、自分のファイルに保存できることを特徴とする。
【００１６】
本願の第７の発明は、管理サーバと広告表示装置とコンテンツ配信装置とがネットワークを介して接続され、前記管理サーバが広告映像と前記広告映像に時間的に同期したコンテンツを配信すると、前記広告表示装置は前記広告映像を前記ネットワークを介して受信し自表示装置に表示し、前記コンテンツ配信装置は前記コンテンツを前記ネットワークを介して受信し携帯端末に配信することを特徴とする。
【００１７】
本願の第８の発明は、第７の発明の前記コンテンツの前記携帯端末への配信は、微弱電波または赤外線によって行われることを特徴とする。
【００１８】
本願の第９の発明は、第７の発明の前記コンテンツには少なくともインターネットに接続するためのＵＲＬが含まれていることを特徴とする。
【００１９】
本願の第１０の発明は、第７の発明の配信される前記コンテンツは前記広告映像の内容の切り替わる時点に同期した同期情報を有しており、前記携帯端末は前記コンテンツの前記同期情報を検出すると別の前記コンテンツが始まる旨のメッセージ出力を行うことを特徴とする。
【００２０】
本願の第１１の発明は、第１０の発明の前記内容とは、広告対象の商品種別であることを特徴とする。
【００２１】
本願の第１２の発明は、第７の発明の前記携帯端末は、前記コンテンツを自分のディスプレイに表示するだけでなく、要求に応じて、自分のファイルに保存できることを特徴とする。
【００２２】
本願の第１３の発明は、広告映像と前記広告映像に時間的に同期したコンテンツを配信する第１の機能と、前記広告映像をネットワークを介して受信し自表示装置に表示する第２の機能と、前記コンテンツを前記ネットワークを介して受信し携帯端末に配信する第３の機能とをコンピュータに実行させるためのプログラム。
【００２３】
本願の第１４の発明は、前記第３の機能にあって微弱電波または赤外線によって前記コンテンツを前記携帯端末に配信する機能をコンピュータに実行させるための第１３の発明のプログラム。
【００２４】
本願の第１５の発明は、前記第１の機能にあって少なくともインターネットに接続するためのＵＲＬが含まれる前記コンテンツを配信する機能をコンピュータに実行させるための第１３の発明のプログラム。
【００２５】
本願の第１６の発明は、前記第１の機能にあって前記広告映像の内容の切り替わる時点に同期した同期情報を有した前記コンテンツを配信する機能と、前記携帯端末に前記コンテンツの前記同期情報の検出時に別の前記コンテンツが始まる旨のメッセージ出力を行わせる第４の機能とをコンピュータに実行させるための第１３の発明のプログラム。
【００２６】
本願の第１７の発明は、前記第１の機能にあって前記広告映像の商品種別の切り替わる時点に同期した同期情報を有した前記コンテンツを配信する機能をコンピュータに実行させるための第１６の発明のプログラム。
【００２７】
本願の第１８の発明は、前記携帯端末に前記コンテンツを前記携帯端末のディスプレイに表示させるだけでなく、要求に応じて、前記携帯端末のファイルに保存させる第５の機能をコンピュータに実行させるための第１３の発明のプログラム。
【発明の効果】
【００２８】
本発明による第１の効果は、配信中の広告映像の内容に連動（同期）したコンテンツを非接触で携帯端末に配信することが可能にしたことにより、利用者は容易に希望の広告のコンテンツを入手することができ、利用者の利便性が向上することである。しかも、コンテンツを携帯端末に配信する際、広告商品の切り替わりを示すメッセージ表示や音声出力を行うため、利用者は容易に希望のコンテンツの始まりを検出することができる。
【００２９】
第２の効果は、上記コンテンツにはＵＲＬが記載されており、コンテンツサーバに接続することにより、簡便に詳細情報の取得が可能であるとともに、その後の商品購買の申し込み手続き等が円滑に行えるため、広告元の意図する効果が得られることである。
【００３０】
第３の効果は、コンテンツ配信モジュールから配信される広告にはＵＲＬのみではなく動画像等の宣伝情報を含むことが可能なため、利用者が詳細情報を必要としない場合には、通信料金を負担することなく宣伝情報を再生、視聴することができ、経済的であることである。
【００３１】
第４の効果は、広告映像とコンテンツをネットワークを介して広告管理サーバへ配信するため、表示装置への配信スケジュール（番組）の管理が容易であることである。
【発明を実施するための最良の形態】
【００３２】
次に、本発明を実施するための最良の形態について図面を参照して詳細に説明する。
【００３３】
図１は本発明の一実施形態におけるシステム構成を示す図である。本システムは、携帯電話機１０、移動体通信網２０、ゲートウェイサーバ３０、コンテンツサーバ４０、インターネット５０、広告管理サーバ６０、コンテンツ配信モジュール７０、広告表示装置８０により構成される。
【００３４】
携帯電話機１０は、微弱電波または微弱赤外線（ＢｌｕｅＴｏｏｔｈ、Ｉｒ  ｅｔｃ．）通信ポートを備えており非接触でのコンテンツ送受信を可能とする（特開２００２-９９８２４参照）とともに、移動体通信網２０の基地局２１との間での公知の無線通信により通信サービス提供機能を有する。
【００３５】
移動体通信網２０は、無線セルに在圏する携帯電話機１０と無線通信を行う基地局２１と網内の回線交換交換局２２により構成される公知のシステムである。
【００３６】
インターネット５０と移動体通信網２０はゲートウェイサーバ３０を介して接続される公知のシステムである。
【００３７】
コンテンツサーバ４０にて、通常の閲覧用Ｗｅｂサイトおよび後述する携帯電話機１０への配信用コンテンツが運営・管理されており、インターネット５０を介して広告管理サーバ６０に接続される。
【００３８】
コンテンツ配信モジュール７０および広告表示装置８０は、広告管理サーバ６０により制御される。広告管理サーバ６０は、携帯電話機１０へ微弱電波または微弱赤外線を利用して配信するためのコンテンツおよび広告表示装置８０へ表示するための広告を管理し、広告表示装置８０にて放映中の広告の内容に連動したコンテンツをコンテンツ配信モジュール７０より携帯電話機１０へ配信するスケジューリング機能を有する。
【００３９】
放映される広告は、一般的には、広告元各社の広告が、分刻みでサイクリックに放映される。
【００４０】
配信コンテンツは、放映される広告と同期して配信されるように広告管理サーバ６０でスケジュールされており、Ａ社広告が放映されているときはＡ社が用意しているコンテンツが、Ｂ社広告が放映されているときはＢ社が用意しているコンテンツが配信される。
【００４１】
配信コンテンツは、静止画像であってもよく、またプロモーションビデオのような映像であってもよい。そして、内容は、放映されている広告と同じであってもよく、また、広告を補完する、すなわち、広告とは異なる観点、別の側面から商品を紹介する物であってもよい。そして、インターネット５０に接続するためのＵＲＬは必須であり、その他、広告もとの連絡先、担当者のメールアドレス、電話番号なども含まれることもある。
【００４２】
配信コンテンツは、また、広告の対象商品が切り替わる時点に同期した同期情報を有しており、携帯電話機１０は、配信コンテンツを受信中にこの同期情報を検出すると、利用者にここから別の商品の広告が始まる旨のメッセージ表示や音声出力を行う。
【００４３】
同期情報は、配信コンテンツとは区別できる予め定められたコードである必要がある。
【００４４】
利用者は、別の広告コンテンツが始まる旨のメッセージ表示や音声出力を契機にして、携帯電話機１０のファイルに配信コンテンツを格納し、後で再生して、視聴することができる。
【００４５】
次に、本発明を実施するための最良の形態の動作について図面を参照して説明する。
【００４６】
図２は、本実施の形態の動作のシーケンスを示す図である。図１、２を参照して本実施の形態の動作について説明する。
【００４７】
コンテンツサーバ４０は広告管理サーバ６０へ、コンテンツ（携帯電話機１０への配信用コンテンツおよび広告表示装置８０への表示用映像広告）を配信する（ステップＡ１）。
【００４８】
広告管理サーバ６０は広告元各社より配信された前述の広告及びコンテンツの配信スケジュールをスケジュール管理手段(図示せず）により管理しており、広告表示装置８０への広告配信スケジュールに基づく広告配信と連動させながらコンテンツを公知のコンテンツ配信技術によりコンテンツ配信モジュール７０へ配信する（ステップＡ２）。
【００４９】
コンテンツ配信モジュール７０は、広告表示装置８０に当該広告が放映されている期間中は公知の近距離無線通信手段(図示せず）を用い微弱電波または微弱赤外線（ＢｌｕｅＴｏｏｔｈ、Ｉｒ  ｅｔｃ．）により、コンテンツの配信を継続する（ステップＡ３）。
【００５０】
尚、上述のスケジュール管理手段は、コンテンツサーバ４０から配信された各社の広告及びコンテンツを、開始時間、終了時間を同期させながら連続して配信されるようにスケジュールし、すべての広告及びコンテンツを配信後は最初の広告及びコンテンツに戻るようにし、同じ内容のコンテンツがサイクリックに配信されるようにする。また、配信される広告及びコンテンツは、配信される時間町が同じになるように予め供給元で設計されているものとする。
【００５１】
携帯電話機１０はコンテンツを受信し（ステップＡ４）、閲覧した利用者が保存を希望すれば、公知のファイル保存手段によりファイルに保存し、さらに詳細情報を希望する場合には公知のＵＲＬ接続手段によりコンテンツ記載のＵＲＬに接続する（ステップＡ５）。
【００５２】
ＵＲＬに接続した場合には、携帯電話機１０より詳細情報を要求されたコンテンツサーバ４０が応答することにより（ステップＡ６）、利用者はＷｅｂサイトの詳細情報を閲覧可能となる（ステップＡ７）。
【００５３】
図３はステップＡ４、Ａ５における携帯電話機１０の動作フローを示す図である。図１、３を参照して携帯電話機１０の動作について説明する。
【００５４】
コンテンツ配信モジュール７０より、コンテンツ受信の旨が通知され（ステップＳ１）、利用者が受信を許可した場合には、公知のブラウザ等の閲覧ソフトウェアにより表示される。受信を拒否した場合には処理を終了する。
【００５５】
表示されたコンテンツの保存を望む場合は、コンテンツに含まれる同期情報を示す字幕などのメッセージ表示や音声出力に反応して、予め決められたアクション、例えば、定められたキーの押下により、コンテンツがその開始時点から携帯電話機１０のファイルに保存される（ステップＳ２）。
【００５６】
尚、携帯電話機１０は、同期情報検出手段（図示せず）を有しており、この同期情報検出手段は、利用者がコンテンツ受信を許可した場合にコンテンツの内容を監視し、予め同期情報として定められたコードを検出すると、字幕などによるメッセージ表示や音声出力を行い、利用者の喚起を行う。
【００５７】
コンテンツには広告元ＷｅｂサイトのＵＲＬが記載されており、利用者がさらに詳細情報を希望した場合にはインターネット５０を介してコンテンツサーバ４０に接続する（ステップＳ３、Ｓ４）。希望しない場合には処理を終了し、配信された情報をファイルから閲覧できるようにする（ステップＳ３、Ｓ５）。
【００５８】
次に、本発明のコンテンツ配信モジュールを各家庭に設置したり、ＴＶ、ラジオに組み込んで設置したりすることにより、コンテンツ配信をＴＶ、ラジオ放送の番組やＣＭに適用することも可能である。
【００５９】
この場合、広告管理サーバ６０は、放送局と連携してＴＶ、ラジオ放送の番組やＣＭのスケジュールを管理し、それと同期させて配信されるコンテンツを管理する必要がある。
【００６０】
コンテンツ配信モジュールは、利用者が現在視聴している番組を、視聴しているチャネルにより識別し、広告管理サーバに送信する。広告管理サーバは、送信された番組に対応するコンテンツを、利用者に配信する。
【００６１】
配信されたコンテンツ内に電話番号やＥ−ｍａｉｌアドレス等を記載することにより、広告元の担当者に直接連絡することも可能である。
【００６２】
配信されたコンテンツを携帯電話機内に保存し、利用者の希望する時にＷｅｂサイトに接続し閲覧することも可能である。
【００６３】
広告表示装置に放映する広告はコンテンツサーバよりオンラインにてストリーミング再生することも可能である。
【図面の簡単な説明】
【００６４】
【図１】本発明の一実施形態におけるシステム構成を示す図である。
【図２】本実施の形態の動作のシーケンスを示す図である。
【図３】本発明の一実施形態における携帯電話機の動作フローを示す図である。
【符号の説明】
【００６５】
１０    携帯電話機
２０    移動体通信網
２１    基地局
２２    回線交換交換局
４０    コンテンツサーバ
５０    インターネット
６０    広告管理サーバ
７０    コンテンツ配信モジュール
８０    広告表示装置
【図１】
2005084076.tif 000003
【図２】
2005084076.tif 000004
【図３】
2005084076.tif 000005